(57)【要約】【課題】  パーマネントの施術の際に、パーマネントウェーブ用剤の臭いの拡散を抑制することができるパーマネント施術方法を提供する。【解決手段】  施術者は、プレシャンプー工程Ｓ１、被施術者の頭髪をロッドに巻き付けるワインディング工程Ｓ２を実施し、キャップを被施術者の頭部に被せるキャップ装着工程Ｓ３を実施する。次に施術者は、被施術者の頭髪にキャップを被せたまま、頭髪に第１剤を塗布する第１剤塗布工程Ｓ４を実施し、キャップ取り外し工程Ｓ５、テストカール工程Ｓ６、頭髪を水洗する水洗工程Ｓ７を実施する。さらに施術者は、キャップを再度被施術者の頭部に装着するキャップ再装着工程Ｓ８を実施した後、被施術者の頭髪にキャップを被せたまま、頭髪に第２剤を塗布する第２剤塗布工程Ｓ９を実施する。【選択図】    図４
2011056098.tif 000002
【特許請求の範囲】
【請求項１】
頭髪をキャップで覆う工程と、
前記キャップ内に還元剤を含む第１剤を注入し、ロッドに巻き付けられた頭髪に前記第１剤を塗布する第１剤塗布工程と、
前記キャップ内に酸化剤を含む第２剤を注入し、ロッドに巻き付けられた頭髪に前記第２剤を塗布する第２剤塗布工程と
を有する、パーマネント施術方法。
【請求項２】
前記キャップには開閉自在な開口部が少なくとも１つ設けられており、
前記第１剤塗布工程は、前記開口部を介して前記キャップ内に第１剤を注入し、当該第１剤を頭髪に塗布する工程と、前記第１剤が頭髪に塗布された後に前記開口部を閉じる工程とを含んでいる、
請求項１に記載のパーマネント施術方法。
【請求項３】
前記第２剤塗布工程では、前記開口部を介して前記キャップ内に第２剤を注入し、当該第２剤を頭髪に塗布する、
請求項２に記載のパーマネント施術方法。
【請求項４】
前記キャップには前記開口部が複数設けられ、
前記第１剤塗布工程では、前記第１剤を収容する第１剤容器に設けられたノズルを前記開口部に挿入し、当該ノズルから前記第１剤を注出することにより、前記第１剤を頭髪に塗布する、
請求項２又は３に記載のパーマネント施術方法。
【請求項５】
前記キャップにはファスナにより開閉可能な前記開口部が設けられ、
前記第１剤塗布工程では、前記ファスナを開放した状態で前記第１剤を収容する第１剤容器から前記開口部を介して前記第１剤を注出することにより、前記第１剤を頭髪に塗布する、
請求項２又は３に記載のパーマネント施術方法。
【請求項６】
前記キャップには手袋状に窪んだ手袋部が設けられており、
前記第１剤塗布工程では、頭髪を前記キャップで覆った状態で、前記第１剤を収容する第１剤容器を前記手袋部に挿入された施術者の手で前記キャップ内において保持し、前記第１剤容器から前記第１剤を注出することにより、前記第１剤を頭髪に塗布する、
請求項１に記載のパーマネント施術方法。
【発明の詳細な説明】
【技術分野】
【０００１】
本発明は、頭髪にパーマネントウェーブを施すパーマネント施術方法に関する。
【背景技術】
【０００２】
頭髪にパーマネントウェーブを施すパーマネント施術は、一般的に次のような手順で行われる。すなわち、まず被施術者の頭髪をロッドに巻き付け（ワインディング）、その頭髪に対して還元剤を含むパーマネント用液剤（第１剤）を塗布する。そして、キャップで頭髪を覆い、その状態で所定時間放置する。これにより、頭髪内部のタンパク結合が切断される。次に、酸化剤を含むパーマネント用液剤（第２剤）を頭髪に塗布する。その結果、頭髪内部のタンパク結合が再形成され、頭髪にパーマネントウェーブが施されることになる。
【０００３】
上記のとおり、パーマネント施術においてはパーマネント用液剤を被施術者の頭髪に塗布する作業が行われる。従来、この作業を効率的に行うための工夫が種々提案されている。例えば、特許文献１には、複数のパーマ液吐出ノズルを備えたパーマ液供給装置が開示されている。このパーマ液供給装置によれば、複数のパーマ液吐出ノズルから同時にパーマネント用液剤を吐出することにより、頭髪の全域にわたって均等にパーマネント用液剤を塗布することができる。
【０００４】
また、特許文献２には、パーマネント用液剤を霧状にして頭髪に噴霧するパーマネント施術方法が開示されている。このパーマネント施術方法によれば、被施術者の頭髪に対して適量のパーマネント用液剤を容易に塗布することができるため、パーマネント用液剤塗布作業の効率化を図ることができる。
【先行技術文献】
【特許文献】
【０００５】
【特許文献１】特開平１０−１０８７２０号公報
【特許文献２】特開２００９−１１９１５８号公報
【発明の概要】
【発明が解決しようとする課題】
【０００６】
ところで、パーマネント用液剤には不快臭を有するものがある。特に、例えばスピエラ（登録商標）等のようなメルカプト基を有する還元剤は、特有の臭気を有しているため、パーマネント施術中において施術者及び被施術者の双方に不快感を与えるという問題がある。このような不快臭を有するパーマネント用液剤を利用する場合、上記従来のパーマ液供給装置又はパーマネント施術方法によって塗布作業を短時間で行うことができたとしても、その不快臭を抑制することは困難である。
【０００７】
本発明は斯かる事情に鑑みてなされたものであり、その主たる目的は、上記課題を解決することができるパーマネント施術方法を提供することにある。
【課題を解決するための手段】
【０００８】
上述した課題を解決するために、本発明の一の態様のパーマネント施術方法は、頭髪をキャップで覆う工程と、前記キャップ内に還元剤を含む第１剤を注入し、ロッドに巻き付けられた頭髪に前記第１剤を塗布する第１剤塗布工程と、前記キャップ内に酸化剤を含む第２剤を注入し、ロッドに巻き付けられた頭髪に前記第２剤を塗布する第２剤塗布工程とを有する。
【０００９】
この態様において、前記キャップには開閉自在な開口部が少なくとも１つ設けられており、前記第１剤塗布工程は、前記開口部を介して前記キャップ内に第１剤を注入し、当該第１剤を頭髪に塗布する工程と、前記第１剤が頭髪に塗布された後に前記開口部を閉じる工程とを含んでいることが好ましい。
【００１０】
また、上記態様において、前記第２剤塗布工程では、前記開口部を介して前記キャップ内に第２剤を注入し、当該第２剤を頭髪に塗布することが好ましい。
【００１１】
また、上記態様において、前記キャップには前記開口部が複数設けられ、前記第１剤塗布工程では、前記第１剤を収容する第１剤容器に設けられたノズルを前記開口部に挿入し、当該ノズルから前記第１剤を注出することにより、前記第１剤を頭髪に塗布することが好ましい。
【００１２】
また、上記態様において、前記キャップにはファスナにより開閉可能な前記開口部が設けられ、前記第１剤塗布工程では、前記ファスナを開放した状態で前記第１剤を収容する第１剤容器から前記開口部を介して前記第１剤を注出することにより、前記第１剤を頭髪に塗布することが好ましい。
【００１３】
また、上記態様において、前記キャップには手袋状に窪んだ手袋部が設けられており、前記第１剤塗布工程では、頭髪を前記キャップで覆った状態で、前記第１剤を収容する第１剤容器を前記手袋部に挿入された施術者の手で前記キャップ内において保持し、前記第１剤容器から前記第１剤を注出することにより、前記第１剤を頭髪に塗布することが好ましい。
【発明の効果】
【００１４】
本発明に係るパーマネント施術方法よれば、パーマネントの施術の際に、パーマネントウェーブ用剤の臭いの拡散を抑制することができる。
【図面の簡単な説明】
【００１５】
【図１】実施の形態１に係るパーマネント施術方法に使用するキャップの構成を示す平面図。
【図２】実施の形態１に係るパーマネント施術方法に使用するキャップの構成を示す側面図。
【図３】実施の形態１に係るパーマネント施術方法に使用するアプリケータの構成を示す外観図。
【図４】実施の形態１に係るパーマネント施術方法の手順を示すフローチャート。
【図５】実施の形態２に係るパーマネント施術方法に使用するキャップの構成を示す側面図。
【図６】実施の形態２に係るパーマネント施術方法の手順を示すフローチャート。
【図７】実施の形態３に係るパーマネント施術方法に使用するキャップの構成を示す側面図。
【図８】実施の形態３に係るパーマネント施術方法の手順を示すフローチャート。
【発明を実施するための形態】
【００１６】
以下、本発明の好ましい実施の形態を、図面を参照しながら説明する。
【００１７】
（実施の形態１）
実施の形態１は、頭髪をロッドに巻き付け、ロッドに巻き付けられた頭髪を複数の穴が設けられたキャップで覆った後に、前記穴にアプリケータのノズルを挿入することでキャップ内に還元剤を含む第１剤を注入し、さらにその後に前記穴にアプリケータのノズルを挿入することでキャップ内に酸化剤を含む第２剤を注入するパーマネント施術方法である。
【００１８】
まず、本実施の形態に係るパーマネント施術方法に使用するキャップについて説明する。図１は、本実施の形態に係るパーマネント施術方法に使用するキャップの構成を示す平面図であり、図２は、その側面図である。キャップ１０１は、半透明のナイロン製であり、人の頭部を覆うことが可能な程度の大きさの袋状をなしている。また、キャップ１０１の開口１０２に沿って環状のゴムが取り付けられており、これによって開口１０２は伸縮自在となっている。開口１０２を押し広げた状態で被施術者の頭部にキャップ１０１を被せ、開口１０２をゴムの力で収縮させることで、被施術者の頭部にキャップ１０１を装着することができる。かかるキャップ１０１の全体には、抗菌及び抗臭加工が施されている。
【００１９】
キャップ１０１には、１０個の穴１０３ａ，１０３ｂ，１０３ｃが設けられている。これらの穴１０３ａ，１０３ｂ，１０３ｃについてさらに詳しく説明する。キャップ１０１の左右方向の中央部には、４つの穴１０３ａが設けられている。これらの４つの穴１０３ａは等間隔に前後方向に並んでいる。また、キャップ１０１の右側には、３つの穴１０３ｂが設けられており、キャップ１０１の左側には、３つの穴１０３ｃが設けられている。なお、本明細書において、「右側」とは被施術者がキャップを装着したときにおける被施術者から見た右側をいい、「左側」とは前記被施術者から見た左側をいう。また「前側」とは被施術者がキャップを装着したときにおける被施術者から見た前側をいい、「後側」とは被施術者がキャップを装着したときにおける被施術者から見た後側をいう。
【００２０】
３つの穴１０３ｂは、キャップ１０１が被施術者の頭部に装着されたときに、被施術者の右耳の上方から後方へと至る円弧状に配置されている。同様に３つの穴１０３ｃは、キャップ１０１が被施術者の頭部に装着されたときに、被施術者の左耳の上方から後方へと至る円弧状に配置されている。また、穴１０３ａ，１０３ｂ，１０３ｃのそれぞれの直径は約２〜３ｍｍであり、後述するアプリケータ１１１のノズル１１３ｃ（図３参照）を挿入可能な大きさとされている。これらの１０個の穴１０３ａ，１０３ｂ，１０３ｃは、パーマネントウェーブの施術において一般的に行われるブロッキングのブロックに対応している。すなわち、ブロッキングでは、左右方向中央に４つのセンターブロックと、左右それぞれに３つずつのサイドブロックとが作られるが、４つの穴１０３ａは４つのセンターブロックに各別に対応しており、３つの穴１０３ｂは右側の３つのサイドブロックに各別に対応しており、３つの穴１０３ｃは左側の３つのサイドブロックに各別に対応している。これにより、後述するように各ブロックに対して対応する穴１０３ａ，１０３ｂ，１０３ｃから第１剤及び第２剤を注入し各ブロックに第１剤及び第２剤を塗布することができるので、頭髪の一部にアプリケータ１１１のノズル１１３ｃ（図３参照）の先端を近づけることができずに液剤の塗りむらが生じることが防止され、結果として頭髪全体に第１剤及び第２剤を十分に塗布することができる。
【００２１】
１０個の穴１０３ａ，１０３ｂ，１０３ｃのそれぞれの近傍には、穴１０３ａ，１０３ｂ，１０３ｃを塞ぐためのカバー部材１０４が設けられている。カバー部材１０４はキャップ１０１の本体よりも厚みが大きく硬いナイロン製であり、穴１０３ａ，１０３ｂ，１０３ｃよりも大きい四角形をなしている。カバー部材１０４の一辺はキャップ１０１の本体に固着されている。これにより、施術者はカバー部材１０４のキャップ１０１の本体に固着されている一辺の反対の辺を持ち上げることでそのカバー部材１０４に対応する穴を露出させることができ、アプリケータ１１１のノズル１１３ｃをこの穴に挿入することができる。また、液剤の注入が終了し、アプリケータ１１１のノズル１１３ｃが穴から離された後は、カバー部材１０４が平坦な状態に自然に復帰し、概ね穴が塞がれた状態となる。この状態では、キャップ１０１の本体とカバー部材１０４との隙間が十分に狭く、キャップ１０１の内部の臭いは穴１０３ａ，１０３ｂ，１０３ｃから殆んど漏れ出ない。また、カバー部材１０４のそれぞれにも抗菌及び抗臭加工が施されている。
【００２２】
次に、本実施の形態に係るパーマネント施術方法に使用するアプリケータについて説明する。本明細書においてアプリケータとは、パーマネント施術に用いる液剤（第１剤又は第２剤）を収容し、収容した液剤を注出するノズルを有する容器をいう。図３は、本実施の形態に係るパーマネント施術方法に使用するアプリケータの構成を示す外観図である。アプリケータ１１１は、容器本体１１２と、ノズル部１１３とを備えている。容器本体１１２は、概ね円柱状をなしており、その側面に内容物の量を計測するための目盛１１２ａが刻印されている。かかる容器本体１１２は、半透明のプラスチック製であり、その内容物を外部から目視可能となっている。また、容器本体１１２の上端からは、容器本体１１２の円柱に対して直径が若干小さい延長部分が設けられており、その延長部分の外周には雄ネジが形成されている（図示せず）。この雄ネジの部分がノズル部１１３に設けられた雌ネジ部分と螺合して、容器本体１１２にノズル部１１３が装着される。
【００２３】
ノズル部１１３は、不透明のプラスチック製であり、上記の容器本体１１２の円柱形状と概ね同一の直径を有する半球形状の基部１１３ａと、基部１１３ａの頂点から突設されたテーパ部１１３ｂとを有している。基部１１３ａの内周面には雌ネジが形成されており、上述したように容器本体１１２の雄ネジ部分と螺合可能である。また、テーパ部１１３ｂは、ノズル部１１３が容器本体１１２に装着された状態において容器本体１１２の軸心方向から所定角度傾斜した方向に突出しており、その先端に向かうにしたがって細くなるようにテーパ状をなしている。かかるノズル部１１３は厚さが概ね均一なプラスチックにより構成されている。またテーパ部１１３ｂの先端には、ノズル部１１３の内部空間につながる開口が設けられている。さらにテーパ部１１３ｂの先端には、金属製のノズル１１３ｃが接続されている。ノズル１１３ｃは、外径が約２〜３ｍｍの細長いパイプ状をなしており、ノズル１１３ｃの貫通孔がテーパ部１１３ｂの前記開口を通じてノズル部１１３の内部空間に続いている。このような構成により、ノズル１１３ｃの貫通孔から液剤が注出可能である。また、テーパ部１１３ｂの基端からノズル１１３ｃの先端までの長さは約１００ｍｍとされている。
【００２４】
本実施の形態に係るパーマネント施術方法においては、上記のようなアプリケータ１１１が２つ使用され、一方のアプリケータ１１１には還元剤を含む第１剤が収容され、他方のアプリケータ１１１には酸化剤を含む第２剤が収容される。具体的には、第１剤としては、例えばスピエラ（登録商標）が使用され、第２剤としては例えばブロム酸タイプのものが使用される。
【００２５】
次に、本実施の形態に係るパーマネント施術方法について具体的に説明する。図４は、本実施の形態に係るパーマネント施術方法の手順を示すフローチャートである。まず、施術者はシャンプーにより被施術者の頭髪を洗浄するプレシャンプー工程を実施する（ステップＳ１）。このプレシャンプー工程により、被施術者の頭髪に付着した汚れ、頭髪用化粧品等が除去される。次に、施術者は、被施術者の頭髪をロッドに巻き付けるワインディング工程を実施する（ステップＳ２）。このワインディング工程においては、施術者は被施術者の頭髪をセンター４、両サイド３の計１０のブロックに区分けするブロッキングを行い、各ブロックにおいて頭髪を根元からロッドに巻き付ける。このようなワインディングにより、ロッドに巻き付けられた頭髪のケラチン分子には巻き付け張力に応じた応力が生じる。
【００２６】
次に施術者は、頭髪にロッドを巻き付けた被施術者の頭部全体を覆うようにキャップ１０１を被施術者の頭部に被せるキャップ装着工程を実施する（ステップＳ３）。このキャップ装着工程では、施術者は、各穴１０３ａ，１０３ｂ，１０３ｃが被施術者の頭髪の対応する各ブロックに位置するようにキャップ１０１を被施術者の頭部に被せる。
【００２７】
次に施術者は、被施術者の頭髪に第１剤を塗布する第１剤塗布工程を実施する（ステップＳ４）。この第１剤塗布工程では、施術者は第１剤が収容されたアプリケータ１１１を使用し、キャップ１０１のカバー部材１０４を持ち上げて穴１０３ａ，１０３ｂ，１０３ｃを露出させた状態で、そのアプリケータ１１１のノズル１１３ｃを穴１０３ａ，１０３ｂ，１０３ｃに挿入し、第１剤をアプリケータ１１１から注出することで、各ブロックに対して満遍なく第１剤を塗布する。ノズル１１３ｃが穴１０３ａ，１０３ｂ，１０３ｃから抜き出された後は、カバー部材１０４が自然に平坦な状態に復帰し、穴１０３ａ，１０３ｂ，１０３ｃが閉塞される。その後施術者は、第１剤が頭髪に塗布された状態のまま室温環境下（１５〜３０℃）で１０〜２０分程度放置する。このように第１剤が頭髪に塗布された後の時間経過に伴って、頭髪のケラチン分子のシスチン結合が切断され、頭髪内部のケラチン分子が相対的に移動再配置される。
【００２８】
次に施術者は、キャップ１０１を被施術者の頭部から取り外すキャップ取り外し工程を実施し（ステップＳ５）、さらに頭髪におけるウェーブのかかり具合を確認するテストカール工程を実施する（ステップＳ６）。その後、施術者は、ロッドに巻き付けられた状態のままの被施術者の頭髪を水洗する水洗工程を実施する（ステップＳ７）。この水洗工程により、頭髪から第１剤が除去される。また施術者は、水洗工程により付着した水分をタオルドライにより除去する。
【００２９】
次に施術者は、再度キャップ１０１を被施術者の頭部に装着するキャップ再装着工程を実施する（ステップＳ８）。このキャップ再装着工程においても、施術者は、各穴１０３ａ，１０３ｂ，１０３ｃが被施術者の頭髪の対応する各ブロックに位置するようにキャップ１０１を被施術者の頭部に被せる。
【００３０】
その後施術者は、被施術者の頭髪に第２剤を塗布する第２剤塗布工程を実施する（ステップＳ９）。この第２剤塗布工程では、施術者は第２剤が収容されたアプリケータ１１１を使用し、キャップ１０１のカバー部材１０４を持ち上げて穴１０３ａ，１０３ｂ，１０３ｃを露出させた状態で、そのアプリケータ１１１のノズル１１３ｃを穴１０３ａ，１０３ｂ，１０３ｃに挿入し、第２剤をアプリケータ１１１から注出することで、各ブロックに対して満遍なく第２剤を塗布する。第１剤塗布工程と同様に、ノズル１１３ｃが１０３ａ，１０３ｂ，１０３ｃから抜き出された後は、カバー部材１０４が自然に平坦な状態に復帰し、穴１０３ａ，１０３ｂ，１０３ｃが閉塞される。さらに施術者は、第２剤が頭髪に塗布された状態のまま室温環境下（１５〜３０℃）で１０〜２０分程度放置する。このように第２剤が頭髪に塗布された後の時間経過に伴って、切断された頭髪のケラチン分子のシスチン結合が再結合され、ロッドに巻き付けられることによって形成された頭髪のウェーブが固定される。
【００３１】
放置時間が経過した後には、施術者はキャップ１０１を被施術者の頭部から再度取り外すキャップ再取り外し工程（ステップＳ１０）、頭髪からロッドを取り外すロッドオフ工程（ステップＳ１１）、及びロッドが取り外された頭髪を水洗し、トリートメント処理を行うプレーンリンス工程（ステップＳ１２）を順次実施する。これにより、被施術者の頭髪から第２剤が除去され、パーマネント施術が終了する。
【００３２】
本実施の形態に係るパーマネント施術方法によれば、上記のように被施術者の頭部にキャップ１０１を被せた状態で、第１剤及び第２剤を被施術者の頭髪に塗布するため、第１剤及び第２剤の不快臭が被施術者の周囲に拡散せず、パーマネント施術中において施術者及び被施術者に不快感を与えることを防止できる。
【００３３】
また、本実施の形態においては、キャップ１０１の全体に亘って複数の穴１０３ａ，１０３ｂ，１０３ｃが設けられているので、被施術者の頭部にキャップ１０１を装着した状態で、これらの穴１０３ａ，１０３ｂ，１０３ｃに容易にアプリケータ１１１のノズル１１３ｃを挿入し、被施術者の頭髪全体に第１剤及び第２剤を塗布することができる。
【００３４】
また、本実施の形態においては、キャップ１０１に設けられた穴１０３ａ，１０３ｂ，１０３ｃの位置をブロッキングにより作成されるブロックの位置に対応させているので、ブロック毎にロッドに巻き付けられる頭髪の毛束のそれぞれに第１剤及び第２剤を塗布することができる。ブロックは頭髪全体に作成されることから、結果として頭髪全体に第１剤及び第２剤を塗布することが可能となる。
【００３５】
また、本実施の形態においては、穴１０３ａ，１０３ｂ，１０３ｃを閉塞するためのカバー部材１０４が設けられたキャップ１０１が使用されるため、アプリケータ１１１のノズル１１３ｃを挿入するときにだけ穴１０３ａ，１０３ｂ，１０３ｃが開放され、それ以外のときにはこれらの穴１０３ａ，１０３ｂ，１０３ｃは閉塞される。したがって、頭髪に塗布された第１剤及び第２剤の不快臭が拡散することがより一層効果的に抑制される。また、穴１０３ａ，１０３ｂ，１０３ｃは大きさが十分に小さいため、開放されていても頭髪に塗布された第１剤及び第２剤の不快臭の拡散は十分に抑えられる。
【００３６】
（実施の形態２）
実施の形態２は、頭髪をロッドに巻き付け、ロッドに巻き付けられた頭髪をファスナーにより開閉自在な穴が設けられたキャップで覆った後に、前記穴を開放してキャップ内に還元剤を含む第１剤を注入し、その後前記穴を閉塞し、さらにその後に前記穴を開放してキャップ内に酸化剤を含む第２剤を注入し、その後前記穴を閉塞するパーマネント施術方法である。
【００３７】
まず、本実施の形態に係るパーマネント施術方法に使用するキャップについて説明する。図５は、本実施の形態に係るパーマネント施術方法に使用するキャップの構成を示す側面図である。キャップ２０１は、半透明のナイロン製であり、人の頭部を覆うことが可能な程度の大きさの袋状をなしている。また、キャップ２０１の開口２０２は全周にわたって袋状に形成され、その内部を紐２０３が通されている。紐２０３の両端は開口２０２に袋状の部分に設けられた穴から外部へ延出しており、その延出長さを調整することにより開口２０２の大きさを調節可能である。開口部２０２を広げた状態で被施術者の頭部にキャップ２０１を被せ、紐２０３を延出させて被施術者の頭部の大きさに合うように開口２０２を小さくすることで、被施術者の頭部にキャップ２０１を装着することができる。かかるキャップ２０１の全体には、抗菌及び抗臭加工が施されている。
【００３８】
キャップ２０１には、５個の穴２０３ａ，２０３ｂ，２０３ｃが設けられている。それぞれの穴２０３ａ，２０３ｂ，２０３ｃは直線状をなしており、ファスナが各別に取り付けられている。このファスナは合成樹脂（ナイロン）製であり、雄型と雌型を有し、それらを指で挟むことにより閉じることができ、反対側に引き離すように引っ張ることにより開放することができるものである。これらのファスナにより、穴２０３ａ，２０３ｂ，２０３ｃは開閉自在となっている。穴２０３ａは、キャップ２０１の左右方向中央部を前後方向の大部分にわたって延設されている。穴２０３ｂは、キャップ２０１の左右前側部分のそれぞれに１つずつ設けられている。穴２０３ｃは、キャップ２０１の左右後側部分のそれぞれに１つずつ設けられている。かかる穴２０３ｂ，２０３ｃのそれぞれは、穴２０３ａの近傍位置から開口２０２の近傍位置に至るまで上下方向に延びている。これにより、穴２０３ａ，２０３ｂ，２０３ｃを介してアプリケータ１１１から第１剤及び第２剤を頭髪全体に塗布することが可能である。また、第１剤及び第２剤を塗布した後は、それぞれの穴２０３ａ，２０３ｂ，２０３ｃに設けられたファスナを閉じることにより、キャップ２０１を密閉することができ、外部に第１剤及び第２剤の不快臭が拡散することを防止できる。
【００３９】
なお、本実施の形態に係るパーマネント施術方法においては、実施の形態１で説明したアプリケータ１１１を使用するので、アプリケータ１１１の構成についてはその説明を省略する。
【００４０】
次に、本実施の形態に係るパーマネント施術方法について具体的に説明する。図６は、本実施の形態に係るパーマネント施術方法の手順を示すフローチャートである。プレシャンプー工程（Ｓ２０１）、ワインディング工程（Ｓ２０２）については実施の形態１と同様であるので、その説明を省略する。
【００４１】
ワインディング工程を実施した後、施術者は、頭髪にロッドを巻き付けた被施術者の頭部全体を覆うようにキャップ２０１を被施術者の頭部に被せるキャップ装着工程を実施する（ステップＳ２０３）。このキャップ装着工程では、施術者は、穴２０３ａが頭部の左右方向中央部に位置し、穴２０３ｂが頭部の左右前側部分に位置し、穴２０３ｃが頭部の左右後側部分に位置するようにキャップ２０１を被施術者の頭部に被せる。
【００４２】
次に施術者は、被施術者の頭髪に第１剤を塗布する第１剤塗布工程を実施する（ステップＳ２０４）。この第１剤塗布工程では、施術者は第１剤が収容されたアプリケータ１１１を使用し、キャップ２０１の穴２０３ａ，２０３ｂ，２０３ｃのファスナを開いた状態で、そのアプリケータ１１１のノズル１１３ｃを穴２０３ａ，２０３ｂ，２０３ｃに挿入し、第１剤をアプリケータ１１１から注出することで、頭髪全体に満遍なく第１剤を塗布する。ノズル１１３ｃが穴２０３ａ，２０３ｂ，２０３ｃから抜き出された後は、施術者は各穴２０３ａ，２０３ｂ，２０３ｃに設けられたファスナを閉じる。これにより穴２０３ａ，２０３ｂ，２０３ｃが閉塞される。その後施術者は、第１剤が頭髪に塗布された状態のまま室温環境下（１５〜３０℃）で１０〜２０分程度放置する。これにより、頭髪のケラチン分子のシスチン結合が切断され、頭髪内部のケラチン分子が相対的に移動再配置される。
【００４３】
放置時間が経過した後には、施術者はキャップ２０１を被施術者の頭部から取り外すキャップ取り外し工程を実施する（ステップＳ２０５）。その後のテストカール工程（ステップＳ２０６）、水洗工程（ステップＳ２０７）については実施の形態１と同様であるので、その説明を省略する。
【００４４】
次に施術者は、再度キャップ２０１を被施術者の頭部に装着するキャップ再装着工程を実施する（ステップＳ２０８）。このキャップ再装着工程においても、施術者は、穴２０３ａが頭部の左右方向中央部に位置し、穴２０３ｂが頭部の左右前側部分に位置し、穴２０３ｃが頭部の左右後側部分に位置するようにキャップ２０１を被施術者の頭部に被せる。
【００４５】
その後施術者は、被施術者の頭髪に第２剤を塗布する第２剤塗布工程を実施する（ステップＳ２０９）。この第２剤塗布工程では、施術者は第２剤が収容されたアプリケータ１１１を使用し、キャップ２０１の穴２０３ａ，２０３ｂ，２０３ｃのファスナを開いた状態で、そのアプリケータ１１１のノズル１１３ｃを穴２０３ａ，２０３ｂ，２０３ｃに挿入し、第２剤をアプリケータ１１１から注出することで、頭髪全体に満遍なく第１剤を塗布する。ノズル１１３ｃが穴２０３ａ，２０３ｂ，２０３ｃから抜き出された後は、施術者は各穴２０３ａ，２０３ｂ，２０３ｃに設けられたファスナを閉じる。これにより穴２０３ａ，２０３ｂ，２０３ｃが閉塞される。さらに施術者は、第２剤が頭髪に塗布された状態のまま室温環境下（１５〜３０℃）で１０〜２０分程度放置する。これにより、切断された頭髪のケラチン分子のシスチン結合が再結合され、ロッドに巻き付けられることによって形成された頭髪のウェーブが固定される。
【００４６】
放置時間が経過した後には、施術者はキャップ２０１を被施術者の頭部から再度取り外すキャップ再取り外し工程を実施する（ステップＳ２１０）。その後のロッドオフ工程（ステップＳ２１１）、プレーンリンス工程（ステップＳ２１２）については実施の形態１と同様であるので、その説明を省略する。
【００４７】
本実施の形態に係るパーマネント施術方法によれば、上記のように被施術者の頭部にキャップ２０１を被せた状態で、第１剤及び第２剤を被施術者の頭髪に塗布するため、第１剤及び第２剤の不快臭が被施術者の周囲に拡散せず、パーマネント施術中において施術者及び被施術者に不快感を与えることを防止できる。
【００４８】
また、本実施の形態においては、キャップ２０１の前後左右方向の全体にわたって、頭頂部から概ね放射状に穴２０３ａ，２０３ｂ，２０３ｃを設けたため、第１剤及び第２剤の塗布作業が容易となり、被施術者の頭髪全体に第１剤及び第２剤を塗布することができる。
【００４９】
また、本実施の形態においては、キャップ２０１の穴２０３ａ，２０３ｂ，２０３ｃのそれぞれにファスナを設け、穴２０３ａ，２０３ｂ，２０３ｃを密封可能としたため、頭髪に塗布された第１剤及び第２剤の不快臭が拡散することを確実に防止することができる。
【００５０】
（実施の形態３）
実施の形態３は、頭髪をロッドに巻き付け、ロッドに巻き付けられた頭髪を内側に手袋が設けられたキャップで覆った後に、キャップ内において還元剤を含む第１剤を頭髪に塗布し、その後キャップに設けられた手袋に施術者が手を入れてテストカールを実施し、さらにその後にキャップ内において酸化剤を含む第２剤を頭髪に塗布するパーマネント施術方法である。
【００５１】
まず、本実施の形態に係るパーマネント施術方法に使用するキャップについて説明する。図７は、本実施の形態に係るパーマネント施術方法に使用するキャップの構成を示す側面図である。キャップ３０１は、半透明のナイロン製であり、平面視において直径が約５０ｃｍの袋状をなしている。また、キャップ３０１の開口３０２は全周にわたって袋状に形成され、その内部を環状のゴムが通されている。これによって開口３０２は伸縮自在となっている。開口３０２を押し広げた状態で被施術者の頭部にキャップ３０１を被せ、開口３０２をゴムの力で収縮させることで、被施術者の頭部にキャップ３０１を装着することができる。かかるキャップ３０１の全体には、抗菌及び抗臭加工が施されている。
【００５２】
キャップ３０１の両側部及び後部のそれぞれにおいて、キャップ３０１は内側に手袋状に窪んでおり、それぞれが手袋部３０３ｂ，３０３ｃとなっている。キャップ３０１の右側部分に設けられた手袋部（図示せず）は右手用の手袋形状をなしており、キャップ３０１の左側部分に設けられた手袋部３０３ｂは左手用の手袋形状をなしている。キャップ３０１の後側部分に設けられた手袋部３０３ｃは右手用の手袋形状をなしている。また、キャップ３０１は通常の人の頭部よりも十分に大きなサイズとされており、被施術者がキャップ３０１を装着した状態で、さらにその内側にアプリケータ１１１を入れることができる。施術者はこの状態でキャップ３０１の右側部分に設けられた手袋部又はキャップ３０１の後側部分に設けられた手袋部３０３ｃに右手を挿入し、キャップ３０１の左側部分に設けられた手袋部３０３ｂに左手を挿入することで、キャップ３０１の内部のアプリケータ１１１を把持することができ、被施術者がキャップ３０１を装着したまま、被施術者の頭髪に第１剤又は第２剤を塗布することが可能である。また、施術者はテストカールを実施するときにも、被施術者がキャップ３０１を装着した状態でキャップ３０１の右側部分に設けられた手袋部又は手袋部３０３ｃに右手を、手袋部３０３ｂに左手をそれぞれ挿入し、第１剤が付着している頭髪に直接手を触れることなく、テストカールを行うことができる。
【００５３】
次に、本実施の形態に係るパーマネント施術方法について具体的に説明する。図８は、本実施の形態に係るパーマネント施術方法の手順を示すフローチャートである。プレシャンプー工程（Ｓ３０１）、ワインディング工程（Ｓ３０２）については実施の形態１と同様であるので、その説明を省略する。
【００５４】
ワインディング工程を実施した後、施術者は、頭髪にロッドを巻き付けた被施術者の頭部全体を覆うようにキャップ３０１を被施術者の頭部に被せるキャップ装着工程を実施する（ステップＳ３０３）。このキャップ装着工程では、施術者は、キャップ３０１の右側部分に設けられた手袋部が被施術者の頭部の右側に位置し、手袋部３０３ｂが被施術者の頭部の左側に位置し、手袋部３０３ｃが被施術者の頭部の後側に位置するようにキャップ３０１を被施術者の頭部に被せる。
【００５５】
次に施術者は、被施術者の頭髪に第１剤を塗布する第１剤塗布工程を実施する（ステップＳ３０４）。この第１剤塗布工程では、施術者は第１剤が収容されたアプリケータ１１１を使用し、キャップ３０１の開口３０２を押し広げた状態でキャップ３０１の内側に当該アプリケータ１１１を入れ、手袋部３０３ｂ，３０３ｃに両手を挿入してアプリケータ１１１を把持し、第１剤をアプリケータ１１１から注出して、頭髪全体に満遍なく第１剤を塗布する。したがって、第１剤を塗布しているときには、開口３０２が被施術者の頭部に密着しており、キャップ３０１には開口部分が存在しないので、第１剤の不快臭がキャップ３０１の外に洩れ出すことがない。また、施術者は手袋部３０３ｂ，３０３ｃに手を挿入して第１剤の塗布作業を行うので、被施術者の頭髪を直接手で触れる必要がなく、施術者の手に第１剤が付着することが防止される。第１剤の頭髪への塗布が終了すると、アプリケータ１１１を開口３０２からキャップ３０１の外へ出す。アプリケータ１１１が外に出された後は、再度開口３０２が頭部と密着するので、このときにも第１剤の不快臭がキャップ３０１の外に洩れ出すことがない。その後施術者は、第１剤が頭髪に塗布された状態のまま室温環境下（１５〜３０℃）で１０〜２０分程度放置する。これにより、頭髪のケラチン分子のシスチン結合が切断され、頭髪内部のケラチン分子が相対的に移動再配置される。
【００５６】
放置時間が経過した後には、施術者はキャップ３０１が被施術者の頭部に装着されたまま、テストカール工程（ステップＳ３０５）を実施する。このテストカール工程においても、施術者は手を手袋部３０３ｂ，３０３ｃに挿入し、被施術者の頭髪へのウェーブの付き具合及び頭髪の膨潤軟化の程度を確認するテストカールを行う。次に、施術者はキャップ３０１を被施術者の頭部から取り外すキャップ取り外し工程を実施し（ステップＳ３０６）、水洗工程を実施する（ステップＳ３０７）。なお、水洗工程については実施の形態１と同様であるので、その説明を省略する。
【００５７】
次に施術者は、再度キャップ３０１を被施術者の頭部に装着するキャップ再装着工程を実施する（ステップＳ３０８）。このキャップ再装着工程においても、施術者は、右側部分の手袋部が被施術者の頭部の右側に位置し、手袋部３０３ｂが被施術者の頭部の左側に位置し、手袋部３０３ｃが被施術者の頭部の後側に位置するようにキャップ３０１を被施術者の頭部に被せる。
【００５８】
その後施術者は、被施術者の頭髪に第２剤を塗布する第２剤塗布工程を実施する（ステップＳ３０９）。この第２剤塗布工程では、施術者は第２剤が収容されたアプリケータ１１１を使用し、キャップ３０１の開口３０２を押し広げた状態でキャップ３０１の内側に当該アプリケータ１１１を入れ、手袋部３０３ｂ，３０３ｃに両手を挿入してアプリケータ１１１を把持し、第２剤をアプリケータ１１１から注出して、頭髪全体に満遍なく第２剤を塗布する。このようにすることにより、第１剤塗布工程と同様に、第２剤の不快臭がキャップ３０１の外に洩れ出すことがなく、施術者の手に第２剤が付着することが防止される。第２剤の頭髪への塗布が終了すると、アプリケータ１１１を開口３０２からキャップ３０１の外へ出す。アプリケータ１１１が外に出された後は、再度開口３０２が頭部と密着するので、このときにも第２剤の不快臭がキャップ３０１の外に洩れ出すことがない。さらに施術者は、第２剤が頭髪に塗布された状態のまま室温環境下（１５〜３０℃）で１０〜２０分程度放置する。これにより、切断された頭髪のケラチン分子のシスチン結合が再結合され、ロッドに巻き付けられることによって形成された頭髪のウェーブが固定される。
【００５９】
放置時間が経過した後には、施術者は被施術者の頭部にキャップ３０１が装着された状態でロッドオフ工程を実施する（ステップＳ３１０）。この工程では、施術者は手袋部３０３ｂ，３０３ｃに手を挿入した状態で、頭髪からロッドを取り外す作業を行う。取り外したロッドは開口３０２を押し広げることで１つずつキャップ３０１の外に出される。このように、ロッドオフ工程においてもキャップ３０１を被施術者の頭部に装着したままであるので、第２剤の不快臭がキャップ３０１の外側に漏れ出ることがなく、施術者の手に第２剤が付着することが防止できる。
【００６０】
次に、施術者はキャップ３０１を被施術者の頭部から再度取り外すキャップ再取り外し工程を実施し（ステップＳ３１１）、プレーンリンス工程を実施する（ステップＳ３１２）。プレーンリンス工程については実施の形態１と同様であるので、その説明を省略する。
【００６１】
本実施の形態に係るパーマネント施術方法によれば、上記のように被施術者の頭部にキャップ３０１を被せた状態で、第１剤塗布工程、テストカール工程、第２剤塗布工程、及びロッドオフ工程を実施するため、これらの工程において第１剤及び第２剤の不快臭が被施術者の周囲に拡散せず、パーマネント施術中において施術者及び被施術者に不快感を与えることを防止できる。
【００６２】
また、本実施の形態においては、キャップ３０１の右側部分に図示しない手袋部を、左側部分に手袋部３０３ｂを、後側部分に手袋部３０３ｃを設け、これらの手袋部３０３ｂ，３０３ｃに施術者の手を挿入して、キャップ３０１を装着したままの状態で第１剤塗布工程、テストカール工程、第２剤塗布工程、及びロッドオフ工程を実施するため、施術者が直接被施術者の頭髪に触れずに上記工程の作業を行うことができ、第１剤及び第２剤が施術者の手に付着することを防止することができる。
【００６３】
（その他の実施の形態）
上記の実施の形態１においては、１０個の穴１０３ａ，１０３ｂ，１０３ｃを設けたキャップ１０１を使用するパーマネント施術方法について述べたが、これに限定されるものではない。キャップの穴の数には制限がないが、少なくともアプリケータによって頭髪全体に満遍なく第１剤及び第２剤を塗布することができるように、キャップの全体に均一に分布するよう、複数の穴が設けられていることが好ましい。
【００６４】
また、上記の実施の形態１においては、１０個の穴１０３ａ，１０３ｂ，１０３ｃのそれぞれに、カバー部材１０４が設けられたキャップ１０１を使用するパーマネント施術方法について述べたが、これに限定されるものではない。キャップにカバー部材１０４を設けない構成とし、これを使用してパーマネント施術を行ってもよいが、この場合は第１剤及び第２剤が少しではあるが被施術者の周囲に拡散することとなる。また、１０個の穴１０３ａ，１０３ｂ，１０３ｃをブロックに対応させた場合について述べたが、穴をブロックとは無関係に設けてもよい。
【００６５】
また、上記の実施の形態１においては、カバー部材１０４を硬いナイロン製とし、カバー部材１０４を持ち上げて第１剤又は第２剤の塗布作業を行った後に、カバー部材１０４が平坦な状態に自然に復帰する構成のキャップ１０１を使用するパーマネント施術方法について述べたが、これに限定されるものではない。カバー部材の先端付近に面ファスナのフック部を取り付け、キャップの前記カバー部材の先端部分に対応する位置に面ファスナのループ部を取り付けて、穴にアプリケータ１１１のノズル１１３ｃを挿入しないときにはカバー部材のフック部を前記ループ部に係合させることで穴を閉塞する構成とし、これを使用してパーマネント施術を行ってもよい。
【００６６】
また、上記実施の形態１〜３においては、全体に抗菌及び抗臭加工を施したキャップ１０１，２０１，３０１を使用するパーマネント施術方法について述べたが、これに限定されるものではない。キャップに抗菌及び抗臭加工の何れか一方を施していてもよいし、何れも施していなくてもよい。また、キャップの一部にのみ抗菌及び抗臭加工を施していてもよい。この場合、十分な抗菌及び抗臭効果を得るために、キャップ１０１，２０１，３０１のうち、少なくとも被施術者の頭部に接触する開口１０２，２０２，３０２の付近には抗菌及び抗臭加工を施しておくことが望ましい。
【００６７】
また、上記の実施の形態２においては、５個の穴２０３ａ，２０３ｂ，２０３ｃが設けられたキャップ２０１を使用するパーマネント施術方法について述べたが、これに限定されるものではない。穴の数は制限されず、１つの穴が設けられていてもよいし、５以外の複数の穴が設けられていてもよい。また、穴２０３ａ，２０３ｂ，２０３ｃに設けられているファスナを、金属製のものとしてもよい。
【００６８】
また、上記の実施の形態３においては、３つの手袋部３０３ｂ，３０３ｃが設けられたキャップ３０１を使用するパーマネント施術方法について述べたが、これに限定されるものではない。手袋部の数は制限されず、１つの手袋部が設けられていてもよいし、３以外の複数の手袋部が設けられていてもよい。また、手袋部３０３ｂ，３０３ｃに加え、ノズルを挿入する穴又はファスナで開閉可能な直線状の穴が設けられていてもよい。ファスナで開閉可能な直線状の穴が設けられている場合には、当該穴を通じてキャップの内外にアプリケータ１１１及びロッドを出し入れすることができる。
【００６９】
また、上記の実施の形態３においては、キャップ３０１を被施術者の頭部に装着していない状態でワインディング工程を実施するパーマネント施術方法について述べたが、これに限定されるものではない。ワインディング工程の前にキャップ３０１を被施術者の頭部に装着し、キャップ３０１を被施術者の頭部に装着した状態で、被施術者の頭髪に第１剤を塗布し、ロッドをキャップ３０１の内部に入れてワインディング工程を実施し、再度被施術者の頭髪に第１剤を塗布する第１剤塗布工程を実施してもよい。この場合は、ワインディング工程の前に第１剤を被施術者の頭髪に塗布することができ、第１剤を頭髪全体に均一に塗布することが容易に実現でき、しかもワインディングの際に不快臭が被施術者の周囲に拡散したり、施術者の手に第１剤が付着することを防止することができる。
【産業上の利用可能性】
【００７０】
本発明のパーマネント施術方法は、美容院、理髪店等において使用されるパーマネント施術方法等として有用である。
【符号の説明】
【００７１】
１０１  キャップ
１０２  開口
１０３ａ，１０３ｂ，１０３ｃ  穴
１０４  カバー部材
１１１  アプリケータ
１１２  容器本体
１１２ａ  目盛
１１３  ノズル部
１１３ａ  基部
１１３ｂ  テーパ部
１１３ｃ  ノズル
２０１  キャップ
２０２  開口
２０３  紐
２０３ａ，２０３ｂ，２０３ｃ  穴
３０１  キャップ
３０２  開口
３０３ｂ，３０３ｃ  手袋部
【図１】
2011056098.tif 000003
【図２】
2011056098.tif 000004
【図３】
2011056098.tif 000005
【図４】
2011056098.tif 000006
【図５】
2011056098.tif 000007
【図６】
2011056098.tif 000008
【図７】
2011056098.tif 000009
【図８】
2011056098.tif 000010